(57)【特許請求の範囲】
【請求項１】
前面に差込口が設けられ施工面に露出した状態で取り付けられる器体と、器体内に納装されて差込口に差し込まれる栓刃を受ける刃受部と、器体内に納装されて外部から挿入される電線を機械的且つ電気的に接続する速結端子構造の端子部と、器体前面に露設されて外部の接地線を接続する接地端子部と、器体前面に露出する接地端子部を隠す手段とを備え、前記端子部は、器体の側面に形成した電線挿入口から挿入される電線の芯線と接触するとともに刃受部と導通する接触片と、接触片との間に芯線を弾性狭持する鎖錠ばねと、この鎖錠ばねを接触片から押し離して芯線の弾性狭持状態を解除する解除釦とを具備してなり、解除釦を手で操作する操作部を器体の前面に露出させ、差込口を露出する露出窓が形成された化粧カバーにて器体の前面を被い、器体を略矩形の箱形に形成するとともに器体表面の角部にアールをつけ、器体前面において前記接地端子部を差込口から分離形成したことを特徴とする露出コンセント。
【請求項２】
前記接地端子部を隠す手段は、前記化粧カバーからなることを特徴とする請求項１記載の露出コンセント。
【請求項３】
器体の前面に設けた凹所の底部に接地端子部を配設するとともに、前記接地端子部を隠す手段として凹所の開口を塞ぐ扉を器体の前面に開閉自在に設けたことを特徴とする請求項１記載の露出コンセント。
【請求項４】
内部に電線が挿通される配線モールの端部を収納する収納凹部を器体表面に設けたことを特徴とする請求項１又は２又は３記載の露出コンセント。
【請求項５】
前面に差込口が形成されたカバーと、カバーに結合するボディとで器体を構成し、形状が異なる複数種類の栓刃を受ける刃受ばねにより刃受部を構成したことを特徴とする請求項１〜４の何れかに記載の露出コンセント。
【請求項６】
接地端子部に接続される接地線と接する器体前面の部位を略平坦に形成したことを特徴とする請求項３記載の露出コンセント。
【請求項７】
差込口に差し込まれる接地極の栓刃を受ける接地極用の刃受部を器体内に納装したことを特徴とする請求項１〜６の何れかに記載の露出コンセント。
【発明の詳細な説明】
【０００１】
【発明の属する技術分野】
本発明は、壁面のような施工面に露出した状態で施工される露出コンセントに関するものである。
【０００２】
【従来の技術】
従来の露出コンセントは、外部の電線を接続する端子部がねじ締め式であった。また、接地線を接続する接地端子部が器体の前面に露設されていた。
【０００３】
【発明が解決しようとする課題】
上述のように従来の露出コンセントでは端子部がねじ締め式であったために結線に手間がかかり、施工に時間がかかるという問題があった。また、接地端子部が器体の前面に露設されているために外観上の見栄えが良くないという問題があった。
【０００４】
本発明は上記問題に鑑みて為されたものであり、その目的とするところは、電線の結線作業が容易に行えて省施工化が図れるとともに外観上の見栄えが良い露出コンセントを提供することにある。
【０００５】
【課題を解決するための手段】
請求項１の発明は、上記目的を達成するために、前面に差込口が設けられ施工面に露出した状態で取り付けられる器体と、器体内に納装されて差込口に差し込まれる栓刃を受ける刃受部と、器体内に納装されて外部から挿入される電線を機械的且つ電気的に接続する速結端子構造の端子部と、器体前面に露設されて外部の接地線を接続する接地端子部と、器体前面に露出する接地端子部を隠す手段とを備え、前記端子部は、器体の側面に形成した電線挿入口から挿入される電線の芯線と接触するとともに刃受部と導通する接触片と、接触片との間に芯線を弾性狭持する鎖錠ばねと、この鎖錠ばねを接触片から押し離して芯線の弾性狭持状態を解除する解除釦とを具備してなり、解除釦を手で操作する操作部を器体の前面に露出させ、差込口を露出する露出窓が形成された化粧カバーにて器体の前面を被い、器体を略矩形の箱形に形成するとともに器体表面の角部にアールをつけ、器体前面において前記接地端子部を差込口から分離形成したことを特徴とし、電線を接続する端子部を速結端子構造とすることでねじ締め式の従来例に比較して電線の結線作業が容易に行えるとともに、接地端子部を隠す手段にて接地端子部を隠すことにより外観上の見栄えを良くすることができる。また、電線の芯線を電線挿入口から挿入するだけで鎖錠ばねと接触片との間に芯線が弾性狭持されて電線の接続が行え、しかも、器体前面に露出させた解除釦の操作部を手で操作することで芯線の弾性狭持状態を解除して電線を簡単に取り外すことができ、特別な工具を用いることなく電線の結線作業が簡単に行える。さらに、化粧カバーによって操作部が被われるから、操作部を不用意に操作して電線が外れてしまうといった不具合の発生を防ぐことができる。また、器体表面の角部にアールをつけたから、結線作業時に器体を手に持ち易くなるとともに角部が先鋭である場合に比べて手に痛みを与えることが無く、結線作業が行い易い。さらに、接地端子部を差込口から分離形成したから、外観上の見栄えを良くすることができる。
【０００６】
請求項２の発明は、請求項１の発明において、前記接地端子部を隠す手段は、前記化粧カバーからなることを特徴とし、化粧カバーによって接地端子部が隠されるために外観上の見栄えを良くすることができる。
【０００７】
請求項３の発明は、請求項１の発明において、器体の前面に設けた凹所の底部に接地端子部を配設するとともに、前記接地端子部を隠す手段として凹所の開口を塞ぐ扉を器体の前面に開閉自在に設けたことを特徴とし、扉を閉じれば接地端子部が扉で隠されるために外観上の見栄えを良くすることができ、接地線を接続する、あるいは外すときには扉を開いて接地端子部を露出すればよく、接地線の結線作業が容易になる。
【００１２】
請求項４の発明は、請求項１〜３の何れかの発明において、内部に電線が挿通される配線モールの端部を収納する収納凹部を器体表面に設けたことを特徴とし、配線モールの取付作業が容易になる。
【００１３】
請求項５の発明は、請求項１〜４の何れかの発明において、前面に差込口が形成されたカバーと、カバーに結合するボディとで器体を構成し、形状が異なる複数種類の栓刃を受ける刃受ばねにより刃受部を構成したことを特徴とし、差込口の形状が異なるカバーに交換するだけで種々の形状の栓刃に対応することができて部品の共通化が図れる。
【００１４】
請求項６の発明は、請求項３の発明において、接地端子部に接続される接地線と接する器体前面の部位を略平坦に形成したことを特徴とし、接地線を引っかいたり傷つるけこと無く接地端子部に接地線を簡単に結線することができる。
【００１５】
請求項７の発明は、請求項１〜６の何れかの発明において、差込口に差し込まれる接地極の栓刃を受ける接地極用の刃受部を器体内に納装したことを特徴とし、接地極付きのプラグを接続することができる。
【００１６】
【発明の実施の形態】
（実施形態１）
本実施形態は、図１〜図５に示すように前面に差込口４が設けられ、壁面のような施工面に露出した状態で取り付けられる器体１と、器体１内に納装されて差込口４に差し込まれる栓刃を受ける刃受部５と、器体１内に納装されて外部から挿入される電線を機械的且つ電気的に接続する速結端子構造の端子部６と、器体１の前面に露設されて外部の接地線を接続する接地端子部７とを備える。
【００１７】
器体１は合成樹脂製のボディ２及びカバー３から構成され、ボディ２の四隅近傍に組立ねじ１４を挿通する挿通孔２ａが形成されており、この挿通孔２ａに挿通した組立ねじ１４を挿通孔２ａに対応してカバー３の背面側に形成された受け孔（図示せず）に螺合することでボディ２とカバー３を結合する構造としてある。
【００１８】
ボディ２は前面が開口する略矩形箱状に形成され、四隅には器体１を施工面に取り付けるための取付ねじ（図示せず）を挿通する長孔状のねじ挿通孔２ｂが形成されている。ボディ２の略中央部には複数の隔壁８が底面より立設されており、これら隔壁８によって３つの刃受部（電圧側極の刃受部５Ａ、接地側極の刃受部５Ｂ、接地極の刃受部５Ｃ）を各々収納する収納部９ａ，９ｂ，９ｃが形成されている。また、ボディ２の長手方向の一端側の内部空間は当該長手方向に沿って走る２条の隔壁１０で３つの収納空間に分離され、各収納空間内に３つの端子部（電圧側極の端子部６Ａ、接地側極の端子部６Ｂ、接地極の端子部６Ｃ）が収納される。このボディ２の端部にはカバー３と組み合わせた状態で電線挿入口１１となる３つの凹部１１ａが形成してある。なお、これらの凹部１１ａは電線挿入口１１の内部が細径となり、電線の芯線が後述する接触片６ａ，６ａ’と鎖錠ばね１５との間に確実に位置決めされる形状に形成してある。
【００１９】
ここで、電圧側極及び接地側極の刃受部５Ａ，５Ｂは同一形状に形成されているから、電圧側極の刃受部５Ａについてのみ説明する。刃受部５Ａは、互いに対向配置されて平板状の栓刃を狭持する一対の刃受ばね５ａと、これら刃受ばね５ａの片側の側縁に対向し、一対の刃受ばね５ａとの間で平板状の栓刃を狭持する刃受ばね５ｂとが弾性を有する導電性金属材料によって一体に形成されたもので、刃受ばね５ｂの基部に電圧側極の端子部６Ａの接続片６ｃ（接地側極の刃受部５Ｂの場合には接地側極の端子部６Ｂの接続片６ｃ）がかしめ等によって機械的及び電気的に接続される。
【００２０】
一方、接地極の刃受部５Ｃは、電圧側極の刃受部５Ａの刃受ばね５ａよりも広い間隔で互いに対向配置される一対の刃受ばね５ａ’と、これら刃受ばね５ａ’の片側の側縁に対向する刃受ばね５ｂ’とが弾性を有する導電性金属材料によって一体に形成されたもので、刃受ばね５ｂ’の基部から延設された延設片５ｃ’に接地極の端子部６Ｃの接続片６ｃ’がかしめ等によって機械的及び電気的に接続される。而して、３つの刃受ばね５ａ’，５ｂ’により丸ピン型又は逆Ｕ字型に形成された接地極の栓刃を狭持する。
【００２１】
電圧側極の端子部６Ａは導電材料で板状に形成され、基端部を収納区間の一内側面に当接するように折曲し、この基端部のカバー３側から横向きに、内側面に電線の芯線が接触する接触片６ａが形成され、基端部のボディ２側から横向きに、内側面に鎖錠ばね１５が当接する当接片６ｂが形成されるとともに、基端部の反対側の端部に接続片６ｃが形成されている。また、端子部６Ａの略中央部のボディ２側には、ボディ２の隔壁８と嵌合してボディ２に位置決めして仮止めするための位置決め溝６ｄが形成してある。なお、当接片６ｂの中央寄りの端部が内側に折曲されて鎖錠ばね１５の移動を規制している。さらに、接触片６ａと当接片６ｂに挟まれた基端部からは鎖錠ばね１５を押さえる押さえ片６ｅが切り起こし形成されている。
【００２２】
接地側極の端子部６Ｂも同様に導電材料で板状に形成され、基端部を収納区間の一内側面に当接し、この基端部のカバー３側から横向きに、内側面に電線の芯線が接触する接触片６ａが形成され、基端部のボディ２側から横向きに、内側面に鎖錠ばね１５が当接する当接片６ｂが形成されるとともに、基端部の反対側の端部に接続片６ｃが形成されている。また、端子部６Ｂの略中央部のボディ２側には、ボディ２の隔壁８と嵌合してボディ２に位置決めして仮止めするための位置決め溝６ｄが形成してある。なお、当接片６ｂの中央寄りの端部が内側に折曲されて鎖錠ばね１５の移動を規制している。さらに、接触片６ａと当接片６ｂに挟まれた基端部からは鎖錠ばね１５を押さえる押さえ片６ｅが切り起こし形成されている。
【００２３】
一方、接地極の端子部６Ｃは導電材料で板状に形成され、一端部が接地側極の端子部６Ｂの基端部と同一構造に形成されるとともに、他端部には接地端子部７の端子板７ａが一体に形成されている。また、端子部６Ｃの略中央部のボディ２側には、ボディ２に形成された位置決めリブ１２（図４参照）と嵌合してボディ２に位置決めして仮止めするための位置決め溝６ｄ’が形成してある。なお、接地極の刃受部５Ｃの延設片５ｃ’と接続する接続片６ｃ’が接地端子部７の近傍に形成されている。
【００２４】
端子板７ａの略中央には端子ねじ７ｂが螺合するねじ孔７ｃが設けられ、端子板７ａの前面には複数の突条７ｄが突設されている。また、端子ねじ７ｂの円筒部には端子板７ａとの間で接地線の芯線を狭持する平板状の狭持板７ｅが取り付けてある。そして、ボディ２の凹部１１ａが設けられている側と反対側の長手方向端部に端子板７ａを載置する載置台１３が突設され、この載置台１３のねじ孔７ｃと対向する略中央には端子ねじ７ｂが挿通する挿通孔１３ａが設けてある。
【００２５】
各端子部６Ａ〜６Ｃの接触片６ａ，６ａ’と当接片６ｂ，６ｂ’との間に配置する鎖錠ばね１５は、弾性を有する導電材料の帯板の両端部を曲成することで中央片１５ｃの両端部に鎖錠片１５ａ及び接触片１５ｂが互いに対向するように形成されている。鎖錠片１５ａは中央片１５ｃとの連結部位から先端縁に向かって接触片６ａ，６ａ’に近づく向きに傾斜し、接触片１５ｂは略Ｓ字形に曲成されている。また、中央片１５ｃは略平板状に形成されていて当接片６ｂ，６ｂ’に当接する。而して、電線挿入口１１を通して電線の芯線が鎖錠ばね１５の鎖錠片１５ａ及び接触片１５ｂと端子部６Ａ〜６Ｃの接触片６ａ，６ａ’との間に挿入されると、鎖錠片１５ａの先端が芯線に食い込んで抜け止めが為されるとともに、鎖錠片１５ａ及び接触片１５ｂと端子部６Ａ…の接触片６ａ，６ａ’との間に芯線が弾性狭持されて端子部６Ａ…に電線の芯線が機械的且つ電気的に接続される。このように端子部６Ａ〜６Ｃを速結端子構造とすることでねじ締め式の従来例に比較して電線の結線作業が容易に行え、しかも、ねじ締め式に比較して端子部６Ａ〜６Ｃが小型化できるため、特に従来例と比べて器体１の前後方向の厚み寸法を小さくすることができる。ここで、器体１（ボディ２）表面の角部にはアールがつけてあるから、電線の結線作業時に器体１を手に持ち易くなるとともに角部が先鋭である場合に比べて手に痛みを与えることが無く、結線作業が行い易いという利点がある。
【００２６】
一方、カバー３は背面が開口する略十字形の箱状に形成され、内部の構造がボディ２と略同じ構造に形成されている。カバー３の略中央には平面視略矩形のボス部３ａが突設され、このボス部３ａに３つの刃受孔（電圧側極用の刃受孔４ａ、接地側極用の刃受孔４ｂ、接地極用の刃受孔４ｃ）からなる差込口４がカバー３の厚み方向（前後方向）に貫通するように設けられ、ボディ２とカバー３を結合した完成状態において各刃受孔４ａ〜４ｃが器体１内に収納された各刃受部５Ａ〜５Ｃに対向する。ここで、本実施形態における差込口４は定格２０Ａ  １２５Ｖの極配置（ＪＩＳ  Ｃ  ８３０３参照）に対応しており、電圧側極の刃受孔４ａが矩形に形成され、接地側極用の刃受孔４ｂが略Ｔ字型に形成されるとともに、接地極用の刃受孔４ｃが略半円形に形成されている。
【００２７】
また、カバー３の長手方向の一端側には接地端子部７を前面側に露出する開口部３ｂが差込口４から分離して形成されている。このように開口部３ｂを差込口４から分離形成することで外観上の見栄えを良くすることができる。また、開口部３ｂのボス部３ａ側の端縁には扉１６の支持片１６ｃが嵌合する嵌合溝３ｃが形成されている。この扉１６は弾性を有する合成樹脂成型品からなり、支持片１６ｃの一端縁に薄肉の可撓部１６ｂを介して主片１６ａが一体に形成されている。而して、支持片１６ｃを開口部３ｂの嵌合溝３ｃに嵌合することで扉１６がカバー３の前面に取り付けられ、可撓部１６ｂを撓ませることで主片１６ａが開口部３ｂを開閉自在に塞ぐものである。なお、主片１６ａの自由端縁には扉１６（主片１６ａ）を開く際に指や工具等を挿入するための凹部１６ｄが設けてある。
【００２８】
ところで、カバー３をボディ２に結合する際には、端子部６Ａ〜６Ｃの基端部に対応する箇所に解除釦１７が収められる。この解除釦１７は３個の鎖錠ばね１５を同時に接触片６ａから押し離して電線３１の芯線３２の弾性狭持状態を解除するもので、解除釦１７の背面からは各鎖錠ばね１５の鎖錠片１５ａの一端をそれぞれ押圧する押圧部１７ａが突設される。また、解除釦１７の前面からは解除釦１７を操作するための操作部たる操作ハンドル１７ｂが延設されている。操作ハンドル１７ｂは手で操作可能な大きさに形成されており、カバー３の長手方向の他端側に設けた開口３ｄからカバー３の前面に露出しているので、特別な工具を用いることなく、手操作によって芯線３２の弾性狭持状態を解除することができ、電線３１の取り外しを簡単に行うことができる。ここで、図５に示すように操作ハンドル１７ｂを押し下げると、解除釦１７が支点部１７ｃを支点にして回動し、鎖錠ばね１５の鎖錠片１５ａを接触片６ａから離れる方向に撓ませ、芯線３２の弾性狭持状態を解除することができる。なお、操作ハンドル１７ｂの前面端部には器体１の幅方向に沿って走る２乗のリブ１７ｄが突設され、このリブ１７ｄが操作ハンドル１７ｂを操作する操作部位の目印となっている。
【００２９】
上述のように構成される器体１の前面は化粧カバー１８によって被われる。化粧カバー１８は背面が開口する略矩形箱状に形成され、前面の略中央部にはボス部３ａが嵌入されてボス部３ａに設けられた差込口４を露出する露出窓１８ａが設けられている。また、化粧カバー１８の長手方向の一端部には扉１６の主片１６ａを挿通する挿通窓１８ｂが開口してあり、この挿通窓１８ｂを通して化粧カバー１８の前面側から扉１６を開閉可能としてある。
【００３０】
また、化粧カバー１８の長手方向に沿った内壁面の両端部には前後方向に一対の突条１９ａ，１９ｂが突設されており、図６に示すように、これらの突条１９ａ，１９ｂの間に形成される凹所１９ｃにカバー３の係合突部３ｅを凹凸係合することで器体１（カバー３）の前面に化粧カバー１８が着脱自在に被着される。係合突部３ｅはカバー３の長手方向に沿った両側面の両端部に突設されている。また、係合突部３ｅの前後には化粧カバー１８の突条１９ａ，１９ｂを逃がすための凹部３ｆが凹設されている。而して、化粧カバー１８を前方からカバー３に押しつければ、一方の突条１９ａが係合突部３ｅと当接して化粧カバー１８の側壁が撓み、やがて係合突部３ｅが突条１９ａを乗り越えて２つの突条１９ａ，１９ｂの間の凹所１９ｃに嵌合して化粧カバー１８がカバー３に固定される。ここで、突条１９ａの前面及び後面には係合突部３ｅを案内する傾斜面が形成され、係合突部３ｅの後面にも後方に向かって側面に近づく向きの傾斜面が形成されており、カバー３に対する化粧カバー１８の着脱を容易にしている。
【００３１】
而して、化粧カバー１８を器体１の前面に被着した状態では解除釦１７の操作ハンドル１７ｂが化粧カバー１８によって被われるから、操作ハンドル１７ｂを不用意に操作して芯線の弾性狭持状態が誤って解除してしまうといった不具合の発生を防ぐことができる。この化粧カバー１８は器体１の前面を全体的に被うものであるから、壁面のような施工面に器体１を取り付けて施工した後に器体１前面に取り付けられ、器体１の四隅に設けられたねじ挿通孔２ｂを被って外観上の見栄えを良くしている。
【００３２】
本実施形態は次のような手順で壁面のような施工面に施工される。まず、ケーブル３０の先端部分のシースを除去して電源側及び接地側の電源線となる電線３１ａ，３１ｂと接地線となる電線３１ｃを露出するとともに、各電線３１ａ〜３１ｃの被覆を剥いて露出させた芯線３２を器体１の長手方向に沿った一端部の側面に開口する電線挿入口１１に挿入して、図７に示すように各電線３１ａ〜３１ｃの芯線３２を対応する各端子部６Ａ〜６Ｃに結線する。それから、ボディ２の四隅に設けたねじ挿通孔２ｂに取付ねじを挿通して器体１を施工面に固定し、図８に示すように器体１の前面に化粧カバー１８を取り付けて施工が完了する。また、接地端子部７に接地線３３を接続する場合、主片１６ａの凹部１６ｄから指あるいはドライバ等を挿入して主片１６ａを開き、被覆を剥いて露出した接地線３３の芯線３３ａを凹部（カバー３の開口部３ｂ）の底に配置されている端子板７ａと狭持板７ｅとの間に挟み込み、端子ねじ７ｂを締め付けることで端子板７ａと狭持板７ｅとで芯線３３ａを強固に狭持させる。そして、凹部１６ｄから接地線３３を引き出すようにして扉１６の主片１６ａを閉じると、図９及び図１０に示すように接地端子部７が扉１６で隠されるために外観上の見栄えを良くすることができる。また、接地線３３を外す際にも扉１６を開けば直ちに接地端子部７を露出することができ、接地線３３の結線作業が容易に行えるものである。ここで、接地端子部７に接続された接地線３３と接する器体１前面の部位、並びに当該部位と対向する化粧カバー１８の部位（図１０におけるＡの範囲）を略平坦に形成しているので、接地線３３を引っかいたり傷つけたりすることなく、接地端子部７に接地線３３を容易に接続することができる。
【００３３】
ところで、ケーブル３０を露出配線すると見栄えが良くないことから、従来より、図１１に示すような配線モール４０を使ってケーブル３０を配線する場合がある。この配線モール４０は、壁面のような施工面に取り付けられる断面略コ字形のベース部材４１と、このベース部材４１に嵌合取り付けされる断面略コ字形のカバー部材４２とで構成されており、ベース部材４１とカバー部材４２との間に生じる空間にケーブル３０が収納される。本実施形態では、図１及び図４に示すように凹部１１ａが形成されているボディ２の端部に、配線モール４０の端部を収納する収納凹部２ｃが設けてある。而して、図５及び図１２に示すようにケーブル３０が収納された配線モール４０の端部をボディ２に設けた収納凹部２ｃに収納することができ、配線モール４０の取付作業が容易に行えるものである。
【００３４】
ところで、本実施形態における差込口４は定格２０Ａ  １２５Ｖの極配置に対応するものであって、互いに平板状に形成された電圧側極及び接地側極の各栓刃が直交する向きに配設された差込プラグ（図示せず）が差し込まれる。ここで、電圧側極の刃受部５Ａにおいては、一対の刃受ばね５ａの側縁と刃受ばね５ｂとの間で電圧側極の栓刃を狭持するとともに、接地側極の刃受部５Ｂにおいては、一対の刃受ばね５ａの間で接地側極の栓刃を狭持する。一方、定格１５Ａ  １２５Ｖの極配置（ＪＩＳ  Ｃ  ８３０３参照）に対応する差込プラグでは互いに平板状に形成された電圧側極及び接地側極の各栓刃が平行に配設されており、このような差込プラグに対しては電圧側極及び接地側極の各刃受部５Ａ，５Ｂとも一対の刃受ばね５ａの側縁と刃受ばね５ｂとの間で電圧側極及び接地側極の栓刃を狭持することになる。したがって、図１３に示すように差込口４’を定格１５Ａ１２５Ｖの極配置に対応するもものとしたカバー３’に交換すれば、その他の部品をそのまま用いて定格１５Ａ  １２５Ｖの極配置に対応する差込口４’を備えた露出コンセントが実現できる。同様に、定格２０Ａ  ２５０Ｖの極配置（ＪＩＳ  Ｃ  ８３０３参照）に対応する差込プラグでは平板状に形成された電圧側極の栓刃と略鈎型に形成された接地側極の栓刃とが直線上に並ぶように配設されており、このような差込プラグに対しては電圧側極及び接地側極の各刃受部５Ａ，５Ｂとも一対の刃受ばね５ａの側縁と刃受ばね５ｂとの間で電圧側極及び接地側極の栓刃を狭持することになる。このため、図１４に示すように差込口４”を定格２０Ａ  ２５０Ｖの極配置に対応するもものとしたカバー３”に交換すれば、その他の部品をそのまま用いて定格２０Ａ  ２５０Ｖの極配置に対応する差込口４”を備えた露出コンセントが実現できる。このように本実施形態では、カバー３，３’，３”を交換するだけで異なる極配置に対応した差込口４，４’，４”を有する露出コンセントが提供できるから、カバー３，３’，３”以外の部品を共通化して製造コストの削減が図れるという利点がある。
【００３５】
（実施形態２）
図１５〜図１８を参照して本発明の実施形態２を説明する。但し、本実施形態の基本構成は実施形態１と共通であるから、共通する構成については同一の符号を付して説明を省略し、本実施形態の特徴となる構成についてのみ説明する。
【００３６】
すなわち、実施形態１ではカバー３前面に開閉自在に設けた扉１６で接地端子部７を隠しているのに対し、本実施形態は器体１の前面に被着する化粧カバー１８によって接地端子部７’を隠す点に特徴がある。
【００３７】
図１６及び図１８に示すように、本実施形態における接地端子部７’も実施形態１とほぼ同様の構成を有し、接地極用の刃受部５Ｃと一体に形成された端子板７ａ’、端子ねじ７ｂ’並びに狭持板７ｅ’からなる。
【００３８】
一方、カバー３においては開口部３ｂ’の形状が若干異なっており、開口部３ｂ’が前面だけでなく側面にも開口している。また、化粧カバー１８においては挿通窓１８ｂの代わりにカバー３の開口部３ｂ’に対応する側面に凹所１８ｃが形成されており、図１８に示すように化粧カバー１８を器体１の前面に取り付けた状態では凹所１８ｃを通して接地線３３が外部に引き出されるようになっている。
【００３９】
本実施形態は上述のように構成されるものであるから、器体１の前面に被着される化粧カバー１８で接地端子部７’を隠すことにより外観上の見栄えを良くすることができ、また、実施形態１に比較して扉１６が不要なために部品点数並びに製造工程を削減することができてコストダウンが図れるという利点がある。
【００４０】
【発明の効果】
請求項１の発明は、前面に差込口が設けられ施工面に露出した状態で取り付けられる器体と、器体内に納装されて差込口に差し込まれる栓刃を受ける刃受部と、器体内に納装されて外部から挿入される電線を機械的且つ電気的に接続する速結端子構造の端子部と、器体前面に露設されて外部の接地線を接続する接地端子部と、器体前面に露出する接地端子部を隠す手段とを備えたので、電線を接続する端子部を速結端子構造とすることでねじ締め式の従来例に比較して電線の結線作業が容易に行えるとともに、接地端子部を隠す手段にて接地端子部を隠すことにより外観上の見栄えを良くすることができるという効果がある。また、前記端子部は、器体の側面に形成した電線挿入口から挿入される電線の芯線と接触するとともに刃受部と導通する接触片と、接触片との間に芯線を弾性狭持する鎖錠ばねと、この鎖錠ばねを接触片から押し離して芯線の弾性狭持状態を解除する解除釦とを具備してなり、解除釦を手で操作する操作部を器体の前面に露出させたので、電線の芯線を電線挿入口から挿入するだけで鎖錠ばねと接触片との間に芯線が弾性狭持されて電線の接続が行え、しかも、器体前面に露出させた解除釦の操作部を手で操作することで芯線の弾性狭持状態を解除して電線を簡単に取り外すことができ、特別な工具を用いることなく電線の結線作業が簡単に行えるという効果がある。さらに、差込口を露出する露出窓が形成された化粧カバーにて器体の前面を被うので、化粧カバーによって操作部が被われるから、操作部を不用意に操作して電線が外れてしまうといった不具合の発生を防ぐことができるという効果がある。また、器体を略矩形の箱形に形成するとともに器体表面の角部にアールをつけたので、結線作業時に器体を手に持ち易くなるとともに角部が先鋭である場合に比べて手に痛みを与えることが無く、結線作業が行い易いという効果がある。さらに、器体前面において前記接地端子部を差込口から分離形成したので、外観上の見栄えを良くすることができるという効果がある。
【００４１】
請求項２の発明は、請求項１の発明において、前記接地端子部を隠す手段は、前記化粧カバーからなるので、化粧カバーによって接地端子部が隠されるために外観上の見栄えを良くすることができるという効果がある。
【００４２】
請求項３の発明は、請求項１の発明において、器体の前面に設けた凹所の底部に接地端子部を配設するとともに、前記接地端子部を隠す手段として凹所の開口を塞ぐ扉を器体の前面に開閉自在に設けたので、扉を閉じれば接地端子部が扉で隠されるために外観上の見栄えを良くすることができ、接地線を接続する、あるいは外すときには扉を開いて接地端子部を露出すればよく、接地線の結線作業が容易になるという効果がある。
【００４７】
請求項４の発明は、請求項１〜３の何れかの発明において、内部に電線が挿通される配線モールの端部を収納する収納凹部を器体表面に設けたので、配線モールの取付作業が容易になるという効果がある。
【００４８】
請求項５の発明は、請求項１〜４の何れかの発明において、前面に差込口が形成されたカバーと、カバーに結合するボディとで器体を構成し、形状が異なる複数種類の栓刃を受ける刃受ばねにより刃受部を構成したので、差込口の形状が異なるカバーに交換するだけで種々の形状の栓刃に対応することができて部品の共通化が図れるという効果がある。
【００４９】
請求項６の発明は、請求項３の発明において、接地端子部に接続される接地線と接する器体前面の部位を略平坦に形成したので、接地線を引っかいたり傷つるけこと無く接地端子部に接地線を簡単に結線することができるという効果がある。
【００５０】
請求項７の発明は、請求項１〜６の何れかの発明において、差込口に差し込まれる接地極の栓刃を受ける接地極用の刃受部を器体内に納装したので、接地極付きのプラグを接続することができるという効果がある。
【図面の簡単な説明】
【図１】実施形態１を示す分解斜視図である。
【図２】（ａ）は同上の正面図、（ｂ）は同上の側面図である。
【図３】同上の化粧カバーを外した状態の正面図である。
【図４】同上の化粧カバー及びカバーを外した状態の正面図である。
【図５】同上の電線を接続した状態の一部省略した側断面図である。
【図６】同上の要部を示す側断面図である。
【図７】同上の電線を接続し且つ化粧カバーを外した状態の正面図である。
【図８】同上の電線を接続した状態の正面図である。
【図９】同上の接地線を接続した状態の正面図である。
【図１０】同上の接地線を接続した状態の要部側断面図である。
【図１１】（ａ）は同上に用いる配線モールの分解斜視図、（ｂ）は配線モールの斜視図である。
【図１２】同上の一部省略した斜視図である。
【図１３】同上における別の構成のカバーを示す正面図である。
【図１４】同上におけるさらに別の構成のカバーを示す正面図である。
【図１５】実施形態２を示し、（ａ）は正面図、（ｂ）は側面図である。
【図１６】同上の接地線を接続し且つ化粧カバーを外した状態の正面図である。
【図１７】同上の施工面に施工し且つ接地線を接続した状態の側面図である。
【図１８】同上の施工面に施工し且つ接地線を接続した状態の要部側断面図である。
【符号の説明】
１  器体
２  ボディ
３  カバー
４  差込口
５  刃受部
６  端子部
７  接地端子部
１１  電線挿入口
１５  鎖錠ばね
１６  扉
１８  化粧カバー
【図１】
0003659159.tif 000002
【図２】
0003659159.tif 000003
【図３】
0003659159.tif 000004
【図４】
0003659159.tif 000005
【図５】
0003659159.tif 000006
【図６】
0003659159.tif 000007
【図７】
0003659159.tif 000008
【図８】
0003659159.tif 000009
【図９】
0003659159.tif 000010
【図１０】
0003659159.tif 000011
【図１１】
0003659159.tif 000012
【図１２】
0003659159.tif 000013
【図１３】
0003659159.tif 000014
【図１４】
0003659159.tif 000015
【図１５】
0003659159.tif 000016
【図１６】
0003659159.tif 000017
【図１７】
0003659159.tif 000018
【図１８】
0003659159.tif 000019